(57)【要約】      （修正有）【課題】美容外科などの分野において、たるみを引き上げたり目の上のしわなどを取るなどの施術を行なう場合に、生体組織を不用意に傷めてしまう虞がなく、ひいては施術の幅を広げることのできる施術用針を提供する。【解決手段】針本体２ａの内部を中空状に形成するとともに針本体２ａの両端部を斜めに切断して刺通部Ａ，Ｂとし、これら刺通部Ａ，Ｂのうちの一方の刺通部Ａを閉塞、他方の刺通部Ｂを外部に対して開口させ、さらに針本体２ａの側壁に、少なくとも１つの孔６を形成したことを特徴としている。【選択図】図２
2008200196.tif 000002
【特許請求の範囲】
【請求項１】
針本体の内部を中空状に形成するとともに針本体の両端部を斜めに切断して刺通部とし、これら刺通部のうちの一方の刺通部を閉塞、他方の刺通部を外部に対して開口させ、さらに前記針本体の側壁に、少なくとも１つの孔を形成したことを特徴とする施術用針。
【請求項２】
前記孔は、閉塞した側の端部近傍に形成されていることを特徴とする請求項１に記載の施術用針。
【発明の詳細な説明】
【技術分野】
【０００１】
本発明は、例えば、美容外科の分野において、頬のたるみ、胸、おしりのたるみなどを吊り上げる施術に用いて好適な施術用針に関する。
【背景技術】
【０００２】
美しくなりたい、若々しさを維持したいという願望は、多くの人に共通する願いであるが、加齢が進むにつれ個人でできる努力には限界があるため、近年、前        向きの若返り方法として美容整形が広く行なわれている。
【０００３】
美容整形の一例としては、スレッドリフトと称される施術がある。この施術は、一般には傷痕が目立たない髪の毛に隠れる部分を数センチ切開し、コメカミや額など、対象となる部位に糸を通して引っ張ることにより、たるんでしまった筋肉や皮下組織を後方に引っ張り伸ばすものである。
【０００４】
一方、フェザーリフトと称される施術方法も知られている。この施術方法は、特殊加工された糸を使用して、皮下組織を引き上げる方法であり、皮膚を切開する必要が無いとともに、ゼラチンなどから特殊加工で形成された糸は、身体から抜き取らなくても、一定時間経過することにより、皮膚の中で溶ける性質を有しているため、傷痕がほとんど残らないという利点を有している。
【０００５】
ところで、このような施術に用いられる施術用針は、針本体の端部に貫通孔が形成され、この貫通孔に糸を通して使用されている（例えば、特許文献１）。
ところが、このような施術用針では、糸の中間部が針の両側を跨ぐ姿勢すなわち両側に垂れ下がる姿勢となるため、針で対象部位を刺し通したときに生体組織内に糸の引っかかりが生じやすく、その分、処置する部分を傷めてしまう虞がある。
【特許文献１】特開平１０−３３７２９１号公報
【発明の開示】
【発明が解決しようとする課題】
【０００６】
本発明はこのような実情に鑑み、美容外科などの分野において、たるみを引き上げたり、目の上のしわなどを取る施術を行なったりする場合に、生体組織を不用意に傷めてしまう虞がなく、ひいては施術の幅を広げることのできる施術用針を提供することを目的としている。
【課題を解決するための手段】
【０００７】
上記目的を達成するための本発明に係る施術用針は、
針本体の内部を中空状に形成するとともに針本体の両端部を斜めに切断して刺通部とし、これら刺通部のうちの一方の刺通部を閉塞、他方の刺通部を外部に対して開口させ、さらに前記針本体の側壁に、少なくとも１つの孔を形成したことことを特徴としている。
【０００８】
このような構成であれば、糸の一部を外部に露出させることなく針本体内に収納した状態で針とともに生体組織内を進ませることができるので、返しのある糸を使用したとしても、生体組織を傷つけることなく、糸を貫通させることができる。また、刺通部が両側に具備されているのでどちら側からでも刺し通すことができる
ここで、前記孔は、閉塞した側の端部近傍に形成されていることが好ましい。
【０００９】
このような構成であれば、使い勝手が良好である。
【発明の効果】
【００１０】
本発明に係る施術用針によれば、針本体のどちら側からでも突き刺すことができるとともに、糸の一部を針本体の中空部内に収納した状態で生体組織内を貫通させることができる。したがって、施術の幅が広がるとともに、返しが挿入方向と逆向きでも糸による引っ掛かりが生じにくい。
【００１１】
また、針本体の側壁に形成する孔を、閉塞した側の端部近傍に設ければ、使い勝手が良好であるとともに、針本体内に収納される糸の長さを長く確保することができる。
【発明を実施するための最良の形態】
【００１２】
以下、図面を参照しながら、本発明の実施例について説明する。
図１は本発明の一実施例に係る施術用針を示したものである。
この施術用針２は、例えば、全体の長さが約１４０ｍｍ、直径が約１ｍｍ〜２ｍｍ程度の針として製造されるため、説明の都合上、径方向と長さ方向との縮尺の割合は異なっている。
【００１３】
図２に拡大して示したように、針本体２ａの内部は、中空部４となっており、この中空部４が糸の通り道となっている。また、針本体２ａの両端部は、斜めに切断されて刺通部Ａ，Ｂとされている。これら刺通部Ａ，Ｂのうち一方の刺通部Ａは閉塞され、他方の刺通部Ｂは外部に対して開口されている。
【００１４】
さらに、閉塞した刺通部Ａに近い側壁には、孔６が形成され、この孔６は中空部４に開口している。
針本体２ａは、例えば、チタンあるいはチタン合金などから形成されている。なお、針本体２ａに摩擦抵抗の小さいフッ素樹脂がコーティングされていても良い。
【００１５】
また、孔６は長孔であることが好ましいが、長孔以外であっても良く、特に限定されない。さらに、孔６は、１つに限定されず、所定間隔離間して２つ以上形成されていても良い。また、孔６は針本体２ａの両側に貫通して形成されていても良い。
【００１６】
一方、本実施例の施術用針２に使用する糸については特に限定されるものではないが、伸縮性のある材質から形成されていることが好ましい。例えば、伸縮性のあるシリコ−ン素材から形成されていれば、生体組織を通した場合に無害であるとともに、施術後に引っ張り効果があるので、たるみやしわを引き延ばす上で有効である。
【００１７】
さらに、糸には皮膚を活性化するアミノ酸および／またはサイトカインなどが含浸または塗布されていても良い。このようにアミノ酸および／またはサイトカインなどが含浸または塗布されていれば、美容効果が向上すると期待できる。
【００１８】
図３に示したように、糸８としては、糸本体８ａの周面に、返し１０が具備されていることが好ましい。糸本体８ａにこのような返し１０が具備されていれば、返し１０の作用により、糸本体８ａの左側の端部に結び目１５を付けた状態で、糸８を矢印Ｃ方向に引っ張れば、返し１０の作用により、生体組織１２を糸８とともに矢印Ｃ方向に引っぱることが可能になる。
【００１９】
一方、返し１０は一方向（仮に、引っ張り方向Ｃに対して抵抗の大きい図３の返し１０を順目とする）に限定されるものではなく、図４に示したように、順目の返し１０と逆目の返し１６との両方が設けられていても良い。
【００２０】
すなわち、図４の施術用糸１４では、糸本体１４ａに、順目の返し１０と逆目の返し１６とが、境界点Ｐを挟んで形成されている。順目の返し１０は、引っ張り方向（矢印Ｃ方向）には抵抗が大きく、引き戻し（矢印Ｄ）方向には抵抗が小さい。一方、逆目の返し１６は、引っ張り方向（Ｃ方向）には抵抗が小さく、引き戻し方向（Ｄ方向）には抵抗が大きい。
【００２１】
このように方向の異なる返し１０、１６が形成された施術用糸１４の場合は、糸全体の長さが予め設定されている。すなわち、４０ｃｍ、５０ｃｍ、７０ｃｍなどのように、切断する前に糸の長さが予め設定される。
【００２２】
図１の施術用針２と、両方向の返し１０，１６が形成された図４の施術用糸１４とを用いて施術を行なう場合は、例えば、以下のようにして使用する。
すなわち、図５に示したように、施術用針２の中空部４に、両方向の返し１０，１６が形成された糸１４をセットする。糸１４は孔６から中空部４を通り、端部が開口された刺通部Ｂに向かって挿入されている。
【００２３】
そして、使用に際しては、図５に示したように、刺通部Ｂから糸１４の端部が露出しない状態を初期状態とする。この初期状態から、図６に示したように、施術用針２を該当する部分の生体組織１２内に突き刺して、矢印Ｅ方向に進ませる。施術用針２の刺通部Ｂを、図７に示したように生体組織１２から露出させた後、さらに施術用針２を矢印Ｅ方向に進ませる。その後、図８に示したように、施術用針２の大部分が生体組織１２から突出し、かつ施術用針２の孔６が生体組織１２から露出しない状態まで矢印Ｅ方向に進んだら、図９に示したように、針２を所定の方向に傾倒させる。そして、針２を矢印Ｆ方向すなわち戻る方向に進ませる。すると、糸１４は、針２とともに図１０に示したように、境界点Ｐを生体組織１２内に残したまま、矢印Ｆ方向に進む。この方向への進行がさらに続いて、刺通部Ａが生体組織１２を通過したら、図１１に示したように、針２を生体組織１２から引き抜く。このとき、糸１４の返し１６側を掴んだ状態で引き抜くことが好ましい。
【００２４】
これにより、針２が生体組織１２から引き抜かれ、糸１４のみが生体組織１２内に残存することになる。
そして、生体組織１２から露出された糸１４の両端部を、矢印Ｆ方向に引っ張って、片方ずつに結び目を設ければ、返し１６、１０の作用により、生体組織１２を矢印Ｆ方向に引っ張ることができる。あるいは糸１４の両端部を１つに結び合わせても良い。
【００２５】
このような作用効果により、例えば、垂れ下がった頬のたるみを引き上げたり、目の周りのしわなどを伸ばすことが可能となる。
このような施術によれば、生体組織１２に針が通過する部分は、矢印Ｅ方向に進む場合に１箇所、矢印Ｆ方向に進む場合に１箇所の合計２箇所であるため、針通過部が傷痕として残る虞も少なくなる。よって、美容外科の分野で極めて有効である。
【００２６】
このような施術方法を採用することにより、例えば、頬のたるみを引き上げる場合は、図１２に示したように、例えば、矢印Ｘの位置で針２を刺し通し、さらにＹ方向に針２を戻すことにより、糸１４を略Ｕ字状に配置する。その後、両端部を結び合わせる。このとき、針２が生体組織を通過する部分は、上記したように２箇所である。
【００２７】
このような施術を行なって糸１４を残すことにより、返し１０、１６の作用により頬のたるみを効果的に引き上げることができる。また、傷痕として残る虞のある箇所も最小限である。
【００２８】
以上、本発明の一実施例について説明したが、本発明は上記実施例に何ら限定されない
。例えば、返し１０，１６を設ける場合、返し１０あるいは返し１６間のピッチ、大きさ、糸本体の径などは限定されない。さらには、返し１０，１６の無い部分を介在させても良い。
【００２９】
また、上記実施例では、針本体２ａに孔６が一個形成された例を示しているが、２個以上形成されていても良い。このように孔６を複数個形成すれば、必要に応じて針本体２ａに対する糸の通る位置を選択することができる。
【００３０】
さらに、針２に使用する糸は、返し１０，１６の有無に限定されるものではない。
また、糸８あるいは糸１４に、伸縮性を具備させたり、アミノ酸を含浸損させたりすれば、引っ張り効果、あるいは美顔効果を期待できるので好ましい。しかしながら、汎用の糸を用いても良いのは勿論である。
【図面の簡単な説明】
【００３１】
【図１】図１は本発明の一実施例に係る施術用針の正面図である。
【図２】図２は図１に示した施術用針の拡大断面図である。
【図３】図３は糸の拡大図で、生体組織内に通過した状態を示す概略図である。
【図４】図４は他の糸の拡大図である。
【図５】図５は図１に示した針に図４の糸を通したとき初期状態の断面図である。
【図６】図６は図５に示した針と糸を利用して生体組織の内部に針を刺したときの概略図である。
【図７】図７は図６からさらに進んで生体組織の内部に針が通過したときの概略図である。
【図８】図８は図７からさらに進んで生体組織から針を引き戻す前の概略図である。
【図９】図９は図８の状態から針を傾かせたときの概略図である。
【図１０】図１０は図９に示した状態から戻る方向に針を進ませるときの概略図である。
【図１１】図１１は図１０に示した状態から針を完全に抜いたときの概略図である。
【図１２】図１２は本実施例の針と糸を利用して、実際に頬のたるみを引き上げる施術例を示した概略図である。
【符号の説明】
【００３２】
２        施術用針
２ａ      針本体
４        中空部
６        孔
８        糸
８ａ      糸本体
１０      返し（順目）
１２      生体組織
１４      糸
１６      返し（逆目）
Ａ、Ｂ    刺通部
Ｐ        境界点
【図１】
2008200196.tif 000003
【図２】
2008200196.tif 000004
【図３】
2008200196.tif 000005
【図４】
2008200196.tif 000006
【図５】
2008200196.tif 000007
【図６】
2008200196.tif 000008
【図７】
2008200196.tif 000009
【図８】
2008200196.tif 000010
【図９】
2008200196.tif 000011
【図１０】
2008200196.tif 000012
【図１１】
2008200196.tif 000013
【図１２】
2008200196.tif 000014